(57)【要約】      （修正有）【課題】安定して把持できる構造を有した、化粧液や薬液の塗布容器を提供する。【解決手段】開口部２２１を有する容器本体２と、前記開口部に着脱可能に装着された塗布部材と、該塗布部材を収容して上記開口部に螺着されて開口部を密閉し得る蓋部材とを備える。また、前記容器本体に収容された塗布液を前記塗布部材に含浸させて、前記塗布部材を被塗布面に接触させることにより、塗布液を塗布する塗布容器とする。容器本体２は、底面から連続する収容部２１とこの収容部からくびれて開口部２２１を構成する頭部２２とからなり、上記開口部の開口面は容器本体底面２４に対して鋭角で交差するように頭部が本体部から曲げられており、頭部の開口部側は蓋部材螺着部近傍から収容部に向けて略傾斜し次いで膨出２３ａして収容部に接続され、頭部の開口部反対側は緩やかな凹曲面２３ｂを形成して収容部に接続されてなる。【選択図】図１
0003171319.tif 000002
【実用新案登録請求の範囲】
【請求項１】
開口部を有する容器本体と、前記開口部に着脱可能に装着された塗布部材と、該塗布部材を収容して上記開口部に螺着されて開口部を密閉し得る蓋部材とを備え、前記容器本体に収容された塗布液を前記塗布部材に含浸させて、前記塗布部材を被塗布面に接触させることにより、塗布液を塗布する塗布容器であって、
容器本体は、底面から連続する収容部とこの収容部からくびれて開口部を構成する頭部とからなり、
上記開口部の開口面は容器本体底面に対して鋭角で交差するように頭部が本体部から曲げられており、
頭部の開口部側は蓋部材螺着部近傍から収容部に向けて略傾斜し次いで膨出して収容部に接続され、頭部の開口部反対側は緩やかな凹曲面を形成して収容部に接続されてなる塗布容器。
【考案の詳細な説明】
【技術分野】
【０００１】本考案は、収容された塗布液を被塗布面に塗布する塗布容器に関する。
【背景技術】
【０００２】従来の塗布容器としては、薬剤や化粧品などの塗布液を収容する容器本体の口部に塗布部材を装着し、この塗布部材に塗布液を含浸させて人体などに接触させることにより、塗布液を塗布する構成が知られている。【０００３】このような塗布容器は、開口部を有する容器本体と、前記開口部に着脱可能に装着された塗布部材とを備え、この容器本体を傾斜または倒立させてこれに収容されている塗布液を前記塗布部材に含浸させて、身体の被塗布面に塗布部材を接触させて塗布できるよう構成されている。【０００４】このような塗布容器としては、塗布し易い構造としてたとえば頭部が容器本体から曲げられたいわゆる首曲がり容器が知られている。
【考案が解決しようとする課題】
【０００５】しかしながら、上記首曲がり容器では、曲部凹面側の首下部は容器本体に滑らかに接続されているので、この容器を把持したとき通常この首下部に当接する親指は首部まで滑り易く、把持が安定せず、塗布動作に支障をきたし易い。特に把持する手が化粧液や薬液で濡れているとなおさら安定せず、容器を落として破損したり化粧液や薬液を周囲にこぼしたりすることとなる。
【０００６】そこで、本考案は、化粧液や薬液で濡れている手で持っても容器を取り落とすことなく、また塗布動作においても安定して把持できる構造の塗布容器の提供を目的とする。
【課題を解決するための手段】
【０００７】本考案は、開口部を有する容器本体と、前記開口部に着脱可能に装着された塗布部材と、該塗布部材を収容して上記開口部に螺着されて開口部を密閉し得る蓋部材とを備え、前記容器本体に収容された塗布液を前記塗布部材に含浸させて、前記塗布部材を被塗布面に接触させることにより、塗布液を塗布する塗布容器であって、容器本体は、底面から連続する収容部とこの収容部からくびれて開口部を構成する頭部とからなり、上記開口部の開口面は容器本体底面に対して鋭角で交差するように頭部が本体部から曲げられており、頭部の開口部側は蓋部材螺着部近傍から収容部に向けて略傾斜し次いで膨出して収容部に接続され、頭部の開口部反対側は緩やかな凹曲面を形成して収容部に接続されてなる塗布容器を提供するものである。
【０００８】この塗布容器において、前記容器本体及び塗布部材はいずれも、厚みが０．５〜３．５ｍｍであることが好ましい。
【０００９】また、前記塗布部材は、連続気泡発泡体からなることが好ましい。
【考案の効果】
【００１０】本考案によれば、把持がしっかりとし塗布動作が安定にできる塗布容器を提供することができる。
【考案を実施するための最良の形態】
【００１１】以下、本考案の実施の形態について添付図面を参照して説明する。図１は、本考案の一実施形態に係る塗布容器の正面図、図２は、この塗布容器の平面図、図３は、この塗布容器の底面図、図４は、図１の右側面概略図、図５は、図１の左側面概略図である。【００１２】塗布容器１は、収容部２１と、頭部２２と、これらを接続する括れ部２３とが一体に成形された容器本体部２と、頭部２２に取り付けられる塗布部材（図示せず）及びキャップ（図示せず）とから構成されている。【００１３】頭部２２はその先端側に開口部２２１が形成されており、該開口部先端の開口面２２１ａは、容器本体部２の底面２４と鋭角θをなすように収容部２１に対して曲げられている。
また、開口部２２１の先端には、図示しない塗布部材が着脱可能に装着されると共に、塗布部材装着部以外の外周には図示しないキャップと螺合して塗布容器を密閉できるねじ部２２１ｂが螺設されている。【００１４】塗布部材は、たとえば塗布液の吸放出性に優れ、強度及び肌触りが良好である低密度ポリエチレンで、連続気泡率が７０％以上の連続気泡発泡体からなることが好ましいが、別段これに限定されるものではない。【００１５】括れ部２３において、頭部２２の開口部側はねじ部２２１ｂ近傍から収容部２１に向けて略傾斜し、次いで底面２４と略同程度に膨出する膨出部２３ａを形成して収容部２１に接続されている。【００１６】一方、頭部２２の開口部反対側は頭部後面から緩やかな凹曲面２３ｂを形成して収容部２１に接続されている。凹曲面２３ｂは、この塗布容器１を把持したとき親指の腹側がフィットする程度に緩やかに湾曲されている。【００１７】容器本体部２において、上記膨出部２３ａの下部から底面２４までの側面には、把持したとき３本の指がそれぞれフィットし得る浅い凹所を有する把持部２ａが形成されている。【００１８】以上の構成を有する塗布容器１によれば、キャップを外して該塗布容器１を把持したとき、親指が凹曲面２３ｂに当接し、例えば第２指〜第４指の３指が膨出部２３ａ下部の把持部２ａの各凹所に当接して握った場合、凹曲面２３ｂには親指腹側がぴったりとフィットし、人差し指は膨出部２３ａで係止されるので、全体的にしっかりと把持できることとなる。【００１９】また、把持部２ａには第３指〜第５指までの３本を当接し且つ第２指を膨出部２３ａより上の傾斜部に当てて把持すれば、第２指は頭部２２下で、第３指は膨出部２３ａでそれぞれ係止されるので、把持がより強固に確実なものとなる。【００２０】さらに、容器を上下逆にした状態で掴んでも、頭部下の傾斜部に第５指が配置されてこの第５指は膨出部で係止されるので、この様な持ち方でも把持が安定し、取り落とすことが防止される。【００２１】以上の把持状態で、塗布部材の表面を皮膚などの被塗布面に押し当て塗布すれば、当該容器を取り落とすことなくスムーズに収容された液体を塗布できることとなる。【００２２】以上、本考案の一実施形態について詳述したが、本考案の具体的な態様は上記実施形態に限定されず、例えば、容器本体部や塗布部材やキャップの形状や大きさは、使用目的などに応じて適宜変更できる。
【図面の簡単な説明】
【００２３】
【図１】本考案の一実施形態に係る塗布容器の正面図である。
【図２】図１に示す塗布容器の平面図である。
【図３】図１に示す塗布容器の底面図である。
【図４】図１に示す塗布容器の右側面概略図である。
【図５】図１に示す塗布容器の左側面概略図である。
【符号の説明】
【００２４】１  塗布容器
２  容器本体部
２ａ  把持部
２１  収容部
２２  頭部
２３  括れ部
２３ａ  膨出部
２３ｂ  凹曲面
２４  底面
２２１  開口部
２２１ａ  開口面
２２１ｂ  ねじ部
【図１】
0003171319.tif 000003
【図２】
0003171319.tif 000004
【図３】
0003171319.tif 000005
【図４】
0003171319.tif 000006
【図５】
0003171319.tif 000007